【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
電流を生成する少なくとも１つの電気化学セルを含む電池を製造する方法であって、
第１の基板、および第２の基板を提供するステップと、
前記第１の基板に複数のカソード層を提供するステップと、
その少なくとも一部分が前記複数のカソード層のうちの隣接する２つのカソード層間に位置するアノード層を提供するステップと、
前記複数のカソード層および前記アノード層に接触する電解質層を提供するステップと、
前記第１の基板に中間スペーサ層としてフレームを提供して、前記電解質を収容する内側空間を形成し、かつ前記内側空間内に前記カソード層の少なくとも主要な部分および前記アノード層の少なくとも主要な部分も収容するステップと、
前記中間スペーサ層を介して前記第２の基板を前記第１の基板に接続し、前記カソード層、前記アノード層、および前記電解質層を収容する前記内側空間を実質上封止するステップと、を含む方法。
【請求項２】
前記第１の基板および前記第２の基板のうちの少なくとも一方が、複数の層を有するウェブを含む、請求項１に記載の方法。
【請求項３】
前記複数のカソード層のうちの前記隣接する２つのカソード層間に誘電体層を提供するステップをさらに含む、請求項１に記載の方法。
【請求項４】
前記誘電体層が、前記隣接する２つのカソード層から等距離に位置する、請求項３に記載の方法。
【請求項５】
前記カソード層が、ヒドロキシエチルセルロースを含む結合剤を含む、請求項１に記載の方法。
【請求項６】
前記フレームを、複数の積層を有するウェブを含む第３の基板として提供するステップをさらに含み、前記積層の少なくとも１つが感圧接着剤である、請求項１に記載の方法。
【請求項７】
前記第１の基板の少なくとも一部を覆ってカソード・コレクタ層を提供するステップをさらに含み、
前記隣接する２つのカソード層は前記カソード・コレクタ層上に設けられ、
前記カソード・コレクタ層が、正方形の数が概して３以下になるような長さおよび幅を有する幾何形状を含む、請求項１に記載の方法。
【請求項８】
前記カソード・コレクタ層が、正方形の数が概して１になりまたは１に近づくような長さおよび幅を有する幾何形状を含む、請求項７に記載の方法。
【請求項９】
前記第１の基板上に配置され、前記内側空間の周囲の境界を概して示すフレーム封止剤を提供するステップをさらに含み、前記フレーム封止剤が前記第１の基板と前記フレームの間に介在する、請求項１に記載の方法。
【請求項１０】
（１）前記複数のカソード層と前記第１の基板の間のカソード・コレクタ層、および（２）前記アノード層と前記第１の基板の間のアノード・コレクタ層の一方または両方を提供するステップをさらに含む、請求項１に記載の方法。
【請求項１１】
電流を生成する少なくとも１つの電気化学セルを含む電池を製造する方法であって、
第１の側を含む第１の基板、および第２の基板を提供するステップであって、前記第１の基板および前記第２の基板のうちの少なくとも一方が、複数の層を有するウェブを含むステップと、
前記第１の基板の前記第１の側にカソード・コレクタ層を印刷するステップと、
前記カソード・コレクタ層上に誘電体層を提供するステップと、
前記カソード・コレクタ層上に複数のカソード層を印刷するステップと、
前記誘電体層上にアノード層を積層するステップと、
前記複数のカソード層に接触し、かつ前記アノード層にも接触する粘性液を含む電解質層を提供するステップと、
前記第１の基板の前記第１の側にフレームを提供して、前記電解質を収容する内側空間を形成し、かつ前記内側空間内に前記複数のカソード層の少なくとも主要な部分および前記アノード層の少なくとも主要な部分も収容するステップと、
スペーサとして利用される第３のウェブを介して前記第２の基板を前記第１の基板に接続し、前記複数のカソード層、前記アノード層、および前記電解質層を収容する前記内側空間を実質上封止するステップと、を含む方法。
【請求項１２】
前記誘電体層が、前記カソード・コレクタ層上で、前記複数のカソード層のうちの少なくとも隣接する２つのカソード層間に設けられる、請求項１１に記載の方法。
【請求項１３】
前記誘電体層が、前記隣接する２つのカソード層から等距離に位置する、請求項１２に記載の方法。
【請求項１４】
前記カソード・コレクタ層が、正方形の数が概して３以下になるような長さおよび幅を有する幾何形状を含む、請求項１１に記載の方法。
【請求項１５】
前記第３のウェブを、複数の積層を含む第３の基板として提供するステップをさらに含み、前記積層の少なくとも１つが感圧接着剤である、請求項１１に記載の方法。
【請求項１６】
電流を生成する少なくとも１つの電気化学セルを含む電池であって、
第１の基板と、
第２の基板と、
前記第１の基板に設けられるカソード・コレクタ層と、
前記カソード・コレクタ層上に設けられる複数のカソード層と、
前記カソード・コレクタ層上で、前記複数のカソード層のうちの少なくとも隣接する２つのカソード層間に設けられる誘電体層と、
前記誘電体層上に設けられ、前記誘電体層によって前記カソード・コレクタ層から絶縁されるアノード層と、
前記複数のカソード層および前記アノード層に接触する電解質層と、
前記第１の基板および前記第２の基板間に介在して、前記第１の基板を前記第２の基板に接続して封止し、前記電解質を収容する内側空間を形成し、また前記内側空間内に前記複数のカソード層の少なくとも主要な部分および前記アノード層の少なくとも主要な部分を収容するフレームと、を含む電池。
【請求項１７】
前記誘電体層が、前記隣接する２つのカソード層から等距離に位置する、請求項１６に記載の電池。
【請求項１８】
前記アノード層が、前記隣接する２つのカソード層から等距離に位置する、請求項１７に記載の電池。
【請求項１９】
前記カソード・コレクタ層が、正方形の数が概して３以下になるような長さおよび幅を有する幾何形状を含む、請求項１６に記載の電池。
【請求項２０】
前記複数のカソード層および前記アノード層のうちの一方だけが、乾燥または硬化させたインクから構成され、前記複数のカソード層および前記アノード層のうちの他方が、材料のストリップから構成される、請求項１６に記載の電池。
【請求項２１】
第１の基板と、
前記第１の基板上に設けられ、正方形の数が概して３以下になるような長さおよび幅を有する幾何形状を含むカソード・コレクタ層と、
前記カソード・コレクタ層上に設けられる複数のカソード層と、
前記複数のカソード層のうちの２つの隣接するカソード層間に位置するアノード層と、
前記複数のカソード層および前記アノード層に接触する電解質層と、を含む電池。
【請求項２２】
前記カソード・コレクタ層上に設けられる誘電体層をさらに含み、前記アノード層が前記誘電体層上に設けられるとともに、
前記誘電体層は、前記隣接する２つのカソード層間に、前記隣接する２つのカソード層と共平面になるように設けられる、請求項２１に記載の電池。
【請求項２３】
前記アノード層が、前記隣接する２つのカソード層から実質上等距離に位置する、請求項２１に記載の電池。
【請求項２４】
前記複数のカソード層が、共平面構成で配置される、請求項２１に記載の電池。
【請求項２５】
前記第１の基板と第２の基板の間に介在して、前記第１の基板を前記第２の基板に接続して封止し、前記電解質を収容する内側空間を形成し、また前記内側空間内に前記複数のカソード層の少なくとも主要な部分および前記アノード層の少なくとも主要な部分を収容するフレームをさらに含む、請求項２１に記載の電池。
【請求項２６】
前記カソード・コレクタ層が、正方形の数が概して１になりまたは１に近づくような長さおよび幅を有する幾何形状を含む、請求項２１に記載の電池。
【請求項２７】
前記カソード・コレクタ層が、正方形の数が概して３以下になるような有効長さおよび有効幅を有する非直線の幾何形状を含む、請求項２１に記載の電池。
【請求項２８】
電流を生成する少なくとも１つの電気化学セルを含む電池であって、
第１の基板と、
前記第１の基板上に設けられるカソード・コレクタ層と、
前記カソード・コレクタ層上に設けられる複数のカソード層と、
前記複数のカソード層のうちの隣接する２つのカソード層間に位置し、かつ前記隣接する２つのカソード層と実質上共平面になるように位置するアノード層と、
前記複数のカソード層および前記アノード層に接触する電解質層と、を含む電池。
【請求項２９】
前記カソード・コレクタ層が、正方形の数が概して３以下になるような長さおよび幅を有する幾何形状を含む、請求項２８に記載の電池。
【請求項３０】
前記カソード・コレクタ層が、正方形の数が概して１になりまたは１に近づくような長さおよび幅を有する幾何形状を含む、請求項２９に記載の電池。
【請求項３１】
前記カソード・コレクタ層が、正方形の数が概して３以下になるような有効長さおよび有効幅を有する非直線の幾何形状を含む、請求項２８に記載の電池。
【請求項３２】
前記カソード・コレクタ層上に設けられる誘電体層をさらに含み、前記アノード層が前記誘電体層上に設けられる、請求項２８に記載の電池。
【請求項３３】
前記複数のカソード層が、共平面構成で配置される、請求項２９に記載の電池。
【請求項３４】
前記第１の基板と第２の基板の間に介在して、前記第１の基板を前記第２の基板に接続して封止し、前記電解質を収容する内側空間を形成し、また前記内側空間内に前記複数のカソード層の少なくとも主要な部分および前記アノード層の少なくとも主要な部分を収容するフレームをさらに含む、請求項２９に記載の電池。
【請求項３５】
前記アノード層が、感圧接着剤によって前記カソード・コレクタ層上に貼り付けられる亜鉛箔を含む、請求項２９に記載の電池。
【請求項３６】
前記アノード層は、前記隣接する２つのカソード層から実質上等距離にある、請求項２８に記載の電池。